(57)【要約】【課題】コンパクトを透明な包装紙等で包装して販売する場合等でも、外部から化粧料収納凹部に収納した化粧料の色等を目で容易に確認できるようにすると共に、コンパクトの使用中におけるコンパクトの外観上の体裁がよくなるようにする。【解決手段】容器本体と容器本体の上端開口を開閉自在に塞ぐ蓋体とを備え、容器本体に化粧料収納凹部が設けられたコンパクトにおいて、  蓋体を塞いだ状態で化粧料収納凹部に収納した化粧料を外部から目視可能になるように、蓋体に透視部が設けられ、化粧料収納凹部に収納した化粧料が外部から透視部を通して目視不能になるように、蓋体の内面側に、透視部を蓋体の内側から開閉自在に塞ぐ閉塞部材が設けられている。【選択図】図１
2007075138.tif 000002
【特許請求の範囲】
【請求項１】
容器本体（１）と容器本体（１）の上端開口を開閉自在に塞ぐ蓋体（１３）とを備え、容器本体（１）に化粧料収納凹部（８）が設けられたコンパクトにおいて、
蓋体（１３）を塞いだ状態で化粧料収納凹部（８）に収納した化粧料（１０）を外部から目視可能になるように、蓋体（１３）に透視部（２９）が設けられ、化粧料収納凹部（８）に収納した化粧料（１０）が外部から透視部（２９）を通して目視不能になるように、蓋体（１３）の内面側に、透視部（２９）を蓋体（１３）の内側から開閉自在に塞ぐ閉塞部材（３３）が設けられていることを特徴とするコンパクト。
【請求項２】
閉塞部材（３３）が蓋体（１３）の透視部（２９）のある側に重合する透視部閉塞位置（Ａ）と、閉塞部材（３３）が蓋体（１３）の透視部（２９）がない側に重合する透視部開放位置（Ｂ）とに開閉自在となるように、閉塞部材（３３）は蓋体（１３）の内面側に回動自在に支持され、閉塞部材（３３）で透視部（２９）を塞いだときに透視部（２９）を通して顔等を映して見ることができるように、閉塞部材（３３）に第２鏡体（３６）が設けられていることを特徴とする請求項１に記載のコンパクト。
【請求項３】
前記蓋体（１３）の透視部（２９）がない側に、第１鏡体（３１）がその鏡面（３１ａ）を容器本体（１）側に向けた状態で固定して設けられ、前記閉塞部材（３３）を透視部開放位置（Ｂ）に回動したとき、第１鏡体（３１）に閉塞部材（３３）が重合すると共に、閉塞部材（３３）の第２鏡体（３６）の鏡面（３６ａ）が容器本体１側に向くように構成されていることを特徴とする請求項１に記載のコンパクト。
【発明の詳細な説明】
【技術分野】
【０００１】
本発明は、コンパクトに関するものである。
【背景技術】
【０００２】
コンパクトには、容器本体と容器本体の上端開口を開閉自在に塞ぐ蓋体とを備え、容器本体に、化粧料収納凹部が設けられたものがあり、この種の従来のコンパクトは、蓋体を塞いだ状態で化粧料収納凹部に収納した化粧料を外部から見ることができなかった（例えば特許文献１、特許文献２）。
【特許文献１】特開平１１−２０６４４４号公報
【特許文献２】特開平０９−２１５５１９号公報
【発明の開示】
【発明が解決しようとする課題】
【０００３】
従って、従来では、コンパクトを百貨店やスーパー等の店頭で販売する場合、コンパクトの形状や色等が分かるように透明な包装紙等で包装して展示販売することがあるが、この場合、コンパクトの蓋体が閉じた状態になっているため、化粧料収納凹部に収納した化粧料の色等を目で確認することができず、販売の際に不便であった。
そこで、蓋体に透視部を設け、外部から透明部を通して化粧料収納凹部に収納した化粧料の色等を目で容易に確認できるようにすることが考えられるが、単に蓋体に透明部を設けただけであれば、コンパクトの購入後に、コンパクトの使用によって、化粧料収納凹部及びその周囲が化粧料の付着等で汚れた場合に、蓋体を閉塞した状態で、外部から透視部を通して化粧料収納凹部及びその周囲が見えてしまい、コンパクトの使用中におけるコンパクトの外観上の体裁が悪くなるという不都合を生じる。
【０００４】
本発明は上記問題点に鑑み、コンパクトを透明な包装紙等で包装して販売する場合等でも、外部から化粧料収納凹部に収納した化粧料の色等を目で容易に確認できるようにすると共に、コンパクトの使用中におけるコンパクトの外観上の体裁がよくなるようにしたものである。
【課題を解決するための手段】
【０００５】
この技術的課題を解決するための本発明の技術的手段は、容器本体と容器本体の上端開口を開閉自在に塞ぐ蓋体とを備え、容器本体に化粧料収納凹部が設けられたコンパクトにおいて、
蓋体を塞いだ状態で化粧料収納凹部に収納した化粧料を外部から目視可能になるように、蓋体に透視部が設けられ、化粧料収納凹部に収納した化粧料が外部から透視部を通して目視不能になるように、蓋体の内面側に、透視部を蓋体の内側から開閉自在に塞ぐ閉塞部材が設けられている点にある。
【０００６】
また、本発明の他の技術的手段は、閉塞部材が蓋体の透視部のある側に重合する透視部閉塞位置と、閉塞部材が蓋体の透視部がない側に重合する透視部開放位置とに開閉自在となるように、閉塞部材は蓋体の内面側に回動自在に支持され、閉塞部材で透視部を塞いだときに透視部を通して顔等を映して見ることができるように、閉塞部材に第２鏡体が設けられている点にある。
また、本発明の他の技術的手段は、前記蓋体の透視部がない側に、第１鏡体がその鏡面を容器本体側に向けた状態で固定して設けられ、前記閉塞部材を透視部開放位置Ｂに回動したとき、第１鏡体に閉塞部材が重合すると共に、閉塞部材の第２鏡体の鏡面が容器本体側に向くように構成されている点にある。
【発明の効果】
【０００７】
本発明によれば、コンパクトを透明な包装紙等で包装して販売する場合、外部から透視部を通して化粧料収納凹部に収納した化粧料の色等を目で容易に確認できる。しかも、コンパクトの使用によって、化粧料収納凹部及びその周囲が化粧料の付着等で汚れた場合に、閉塞部材で透視部を塞ぐことにより、蓋体を閉塞した状態で、外部から透視部を通して化粧料収納凹部及びその周囲が見えなくなり、使用中におけるコンパクトの外観上の体裁をよいものになし得る。
【発明を実施するための最良の形態】
【０００８】
以下、本発明の実施の形態について図面を参照しながら説明する。
図１〜図３において、１はコンパクトの容器本体で、合成樹脂等により形成され、底壁２と前壁３と後壁４と左右一対の側壁５と前後方向中途部の仕切り壁６とを有し、容器本体１の後部側に、上端が開口した箱形の化粧料収納凹部８が形成され、容器本体１の前部側に、上端が開口した箱形の化粧用具収納凹部９が形成されている。容器本体１の後壁４には左右一対の支持部１１が突設されている。図２に示すように、化粧料収納凹部８に白粉等の化粧料１０が収納され、化粧用具収納凹部９にパフ等の化粧用具１２が収納されている。
【０００９】
１３は容器本体１の上端開口を塞ぐ蓋体で、合成樹脂等により容器本体１に対応する箱形に形成されている。蓋体１３の後端部に取付部１４が突設されている。枢支軸１７を容器本体１の支持部１１及び蓋体１３の取付部１４に打ち込むことにより、蓋体１３が、取付部１４を介して容器本体１の後壁４に枢支軸１７廻りに開閉自在になるようにヒンジ結合されている。
容器本体１の前壁３に、取付凹部１９が設けられ、取付凹部１９の内壁上部に前方突出した係止部２０が設けられている。蓋体１３の前端部には、下方に向けて鉤形に突出した係合部２５が設けられ、該係合部２５は弾性変形によって係止部２０に下側から係脱自在に係合し、これにより蓋体１３を閉塞状態に保持するようになっている。
【００１０】
容器本体１の前端部に、係合部２５を係止部２０から抜脱させるための押圧操作体２１が設けられている。押圧操作体２１は、取付凹部１９の両内側壁間に、左右方向の支持軸２４廻りに揺動自在に支持されている。
押圧操作体２１は前面側の操作部２２と上面側の一対の押圧部２３とを有し、蓋体１３の係合部２５の左右両側に被押圧部２６が設けられ、係止部２０に係合部２５が係合して、蓋体１３を閉塞状態に保持しているときに、押圧操作体２１の操作部２２を後方に押圧することにより、押圧操作体２１が左右方向の支持軸２４廻りに図２に示すａ方向に揺動して、左右一対の押圧部２３が蓋体１３の一対の被押圧部２６をそれぞれ上方に押圧することにより、係合部２５の係止部２０への係合を解除して、蓋体１３を開動作させるようになっている。
【００１１】
蓋体１３の後部に円形の透視部２９が設けられている。透視部２９は、合成樹脂等で構成した透明な円板体を蓋体１３に嵌合固着してなり、透視部２９は化粧料収納凹部８に対応した位置に配置されており、蓋体１３を塞いだ状態で、化粧料収納凹部８に収納した化粧料１０を、透視部２９を通して外部から目視可能になっている。
蓋体１３の前部の内面側、即ち、蓋体１３の内面側であって透視部２９がない側に、第１鏡体３１が設けられている。第１鏡体３１はその鏡面３１ａを容器本体１側に向けた状態で蓋体１３に埋設固定されている。
【００１２】
蓋体１３の内面側に、透視部２９を蓋体１３の内側から開閉自在に塞ぐ閉塞部材３３が設けられ、閉塞部材３３で透視部２９を塞ぐことにより、化粧料収納凹部８及び化粧料収納凹部８に収納した化粧料が外部から透視部２９を通して目視不能になるように構成されている。閉塞部材３３は、蓋体１３の内面側に左右方向の支持軸３５廻りに回動自在に支持され、閉塞部材３３が蓋体１３の透視部２９のある側に重合する透視部閉塞位置Ａと、閉塞部材３３が蓋体１３の透視部２９がない側に重合する透視部開放位置Ｂとに開閉自在となるように構成されている。
【００１３】
閉塞部材３３に第２鏡体３６が設けられ、閉塞部材３３を透視部閉塞位置Ａに回動して閉塞部材３３で透視部２９を塞いだときに、第２鏡体３６の鏡面３６ａが透視部２９側を向いた状態になって閉塞部材３３が透視部２９に重合し、第２鏡体３６により透視部２９を通して顔等を映して見ることができるようになっている。また、閉塞部材３３を透視部開放位置Ｂに回動したとき、第２鏡体３６の鏡面３６ａが容器本体１側を向いた状態になって第１鏡体３１に閉塞部材３３が重合するように構成されている。
蓋体１３の内面側の後端部に第１係止片３９が設けられ、蓋体１３の内面側の前端部に第２係止片４０が設けられ、第１係止片３９は閉塞部材３３を透視部閉塞位置Ａに係脱自在に係止し、第２係止片４０は閉塞部材３３を透視部開放位置Ｂに係脱自在に係止するように構成されている。
【００１４】
閉塞部材３３で透視部２９を塞ぐことにより、化粧料収納凹部８及び化粧料収納凹部８に収納した化粧料１０が外部から透視部２９を通して目視不能になるように構成されている。
上記実施の形態によれば、コンパクトを百貨店やスーパー等の店頭で販売する場合、閉塞部材３３を透視部開放位置Ｂに回動して、容器本体１の上端開口を蓋体１３で塞いだ状態にし、この状態で、コンパクトを透明な包装紙等で包装して展示すればよい。この場合、蓋体１３を塞いだ状態で、化粧料収納凹部８に収納した化粧料１０を、透視部２９を通して外部から目視することができる。従って、コンパクトの蓋体１３が閉じた状態になっていても、化粧料収納凹部８に収納した化粧料１０の色等を目で確認することができ、所望する化粧料とは異なった色等の化粧料１０が収納されているコンパクトを誤って購入する等の不都合をなくすことができ、非常に便利である。
【００１５】
また、コンパクトを使用する際に、閉塞部材３３を透視部閉塞位置Ａに回動して閉塞部材３３で透視部２９を塞いでおくと、蓋体１３を塞いだ状態では、化粧料収納凹部８に収納した化粧料１０を、透視部２９を通して外部から目視することができなくなる。従って、コンパクトの使用によって、化粧料収納凹部８及びその周囲が化粧料１０の付着等で汚れている場合に、蓋体１３を閉塞した状態で、外部から透視部２９を通して化粧料収納凹部８及びその周囲が見えなくなり、コンパクトの外観上の体裁をよいものになし得る。
しかも、このとき、閉塞部材３３が透視部２９に重合しているので、蓋体１３を閉塞したままで、第２鏡体３６により透視部２９を通して顔等を映して見ることができて、非常に便利である。また、このとき、閉塞部材３３は、第１鏡体３１から外れており、蓋体１３を開けた状態で第１鏡体３１を通して顔等を映して見ながら、パフ等の化粧用具１２を利用して化粧を良好に行うことができる。
【００１６】
なお、前記実施の形態では、容器本体１の後部側に化粧料収納凹部８が設けられ、容器本体１の前部側に化粧用具収納凹部９が設けられているが、これに代え、容器本体１の前部側に化粧料収納凹部８を設け、容器本体１の後部側に化粧用具収納凹部９を設けるようにしてもよいし、容器本体１の左右方向の一方側に化粧料収納凹部８を設け、容器本体１の左右方向の他方側に化粧用具収納凹部９を設けるようにしてもよい。また、容器本体１に化粧料収納凹部８のみを設け、化粧用具収納凹部９を省略するようにしてもよい。
また、化粧料収納凹部８に収納される化粧料１０は白粉に限定されず、ファンデーション、ほお紅その他の化粧料であってもよい。
【００１７】
また、前記実施の形態では、透視部２９を開閉自在に塞ぐ閉塞部材３３は、支持軸３５廻りに回動自在に支持されて、透視部閉塞位置Ａと透視部開放位置Ｂとに開閉自在となるように構成されているが、これに代え、閉塞部材３３を蓋体１３の内面側にスライド自在に支持し、これにより、閉塞部材３３で透視部２９を開閉自在に塞ぐようにしてもよい。また、閉塞部材３３を蓋体１３の内面側に着脱自在に設け、これにより、閉塞部材３３で透視部２９を開閉自在に塞ぐようにしてもよい。
また、前記実施の形態では、閉塞部材３３の一面に第２鏡体３６が設けられているが、これに代え、閉塞部材３３の両面に鏡体を設けるようにしてもよく、この場合、片方の鏡体を拡大鏡としてもよい。また、閉塞部材３３に鏡体を設けないようにしてもよい。この場合、閉塞部材３３の透明部２９に対応する部分に加飾を施しておき、閉塞部材３３で透視部２９を開閉自在に塞いだときに、透視部２９を通してきれいな模様等が見えるようにしてもよい。
【００１８】
また、前記実施の形態では、透視部２９を円形に形成しているが、透視部２９の形状は円形に限定されず、四角形や三角形状であってもよいし、楕円その他の形状であってもよいことは勿論である。
【図面の簡単な説明】
【００１９】
【図１】本願発明の一実施の形態を示すコンパクトの斜視図である。
【図２】同コンパクトの側面断面図である。
【図３】同蓋体を閉塞した状態のコンパクトの平面図である。
【符号の説明】
【００２０】
１      容器本体
８      化粧料収納凹部
９      化粧用具収納凹部
１０      化粧料
１２      化粧用具
１３      蓋体
２９      透視部
３１      第１鏡体
３１ａ    鏡面
３３      閉塞部材
３６      第２鏡体
３６ａ    鏡面
【図１】
2007075138.tif 000003
【図２】
2007075138.tif 000004
【図３】
2007075138.tif 000005